(57)【要約】【課題】本発明は、持続的な防臭・抗菌作用を維持可能な新規な構成の内装材を提供することを目的（課題）とする。【解決手段】表面側が装飾層（藤表）２０とされた内装材。装飾層２０にヒノキチオール等の芳香成分が内包された無数の感圧型の含香マイクロカプセル２６が付着している。本内装材は、床面等に敷いて使用し、人が床面上を歩行するとき、籐ストリップ２０ａ，２０ａ相互間で擦れて（加圧されて）破壊し芳香成分が放散する。【選択図】図３
2005319100.tif 000002
【特許請求の範囲】
【請求項１】
表面側が装飾層とされた内装材であって、
該装飾層に芳香成分が内包された無数の感圧型及び／又は徐放型の含香マイクロカプセルが付着していることを特徴とする内装材。
【請求項２】
前記含香マイクロカプセルが圧力により破壊されて芳香成分が放散する感圧型であり、前記装飾層が、含香マイクロカプセルが侵入して保持された微小隙間・微小孔を備え、該微小隙間・孔が、加圧、又は、湿度及び／又は温度等の外的環境により縮小して前記マイクロカプセルを破壊するものであることを特徴とする内装材。
【請求項３】
前記装飾層が、湿度及び／又は温度により伸縮する剛性材質で形成されていることを特徴とする請求項２記載の内装材。
【請求項４】
前記装飾層が、木質ストリップ又は竹質ストリップを並列結合又は編み結合させたものであることを特徴とする請求項３記載の内装材。
【請求項５】
前記木質ストリップが、籐ストリップで並列結合又は編み結合されて形成されていることを特徴とする請求項４記載の内装材。
【請求項６】
請求項２〜５のいずれかに記載の内装材を、足や手又は体の一部が当接して断続的に加圧を受ける床材、腰板等として使用することを特徴とする内装材の使用方法。
【請求項７】
請求項１〜５のいずれかに記載の内装材の製造方法であって、芳香成分が内包された感圧型の含香マイクロカプセルの水性分散液を前記装飾層に塗布乾燥させて無数の含香マイクロカプセルを前記装飾層に付着させることを特徴とする内装材の製造方法。
【請求項８】
既設の断続加圧受け壁の表面（装飾層）に芳香成分が内包された感圧型の含香マイクロカプセルの水性分散液を塗布乾燥させて無数の含香マイクロカプセルを前記装飾層に付着させることを特徴とする断続加圧受け壁の改質方法。
【請求項９】
前記装飾層が、含香マイクロカプセルが侵入して保持された微小隙間・微小孔を備え、該微小隙間・孔が、加圧、又は、湿度及び／又は温度等の外的環境により縮小して前記含香マイクロカプセルを破壊するものであることを特徴とする請求項８記載の断続加圧受け壁の改質方法。
【発明の詳細な説明】
【技術分野】
【０００１】
本発明は、表面側が装飾層とされた内装材に関し、特に、持続的な抗菌、防臭効果が期待できる内装材に係る発明である。
【０００２】
ここでは、内装材として床面に敷き詰めて使用可能な平面外形を備えた装飾タイルを例に採り説明するが、他の壁面、立壁面、天井壁面等にも本発明の内装材は使用可能である。
【０００３】
また、装飾層の素材として主として籐（ヤシ科蔓性木本の茎）を使用する場合を例に採り説明するが、これらに限られるものではない。
【背景技術】
【０００４】
近年、天然素材が生活用品・健康用品として注目されるに伴い、木質や竹質の素材が床材料として見直されるようになった。中でも籐は、光沢、感触、耐久性に優れるため一般住宅向けの床材としてだけでなく、ゴルフ場や旅館内に設けられた大衆浴場の脱衣場の床材としても多く利用されている。
【０００５】
こうした床敷きの籐製（装飾）タイルとして、例えば、下から順にベース層、クッション層及び籐製装飾層（剛性装飾層）が積層され接着剤で一体化された方形板状のものがある。ここで、ベース層は、床面に対する敷設性ないし馴染み性を確保するためにゴムシート等から形成される。また、クッション層は、足裏への感触をソフトにするためのフェルト等から形成される。そして、籐製装飾層は、籐のストリップを縦方向に配列し紐等でスノコ状に結束したもの（以下「籐表」という。）が多く利用されている。
【０００６】
籐製装飾タイルとしては、例えば、特許文献1、２等に記載されたものがある。
【０００７】
そして、これらの籐製装飾タイルは、公衆浴場、病院、老人施設、ホテルなどで多用されている。このため、昨今これらのものに、抗菌・防臭効果が要求されるようになってきた。
【０００８】
しかし、本発明者らが知る限りにおいては、床材（籐製タイルを含む。）等の内装材に持続的な抗菌・防臭効果を維持可能な加工技術は存在しない。
【０００９】
なお、本発明の発明性に影響を与えるものではないが、本発明で使用する芳香成分を内包したマイクロカプセルを使用する先行技術文献として、非特許文献１、特許文献３が存在する。
【００１０】
非特許文献１には、衣料等の繊維製品を意図して、芳香加工用マイクロカプセルの水性エマルション（水系分散液）を用いて繊維を抗菌防臭加工する技術が記載されている。（ｐ１７）。
【００１１】
また、特許文献３には、ヒノキオイルを内包する含香マイクロカプセルを含有させた木質材用含香塗料に係る技術が記載されている。
【００１２】
特許文献４には、ヒノキチオールを内包するマイクロカプセル粉末を配合したコンクリート材で捨てコンクリートを形成する技術が記載されている（要約、段落０００７等）。
【特許文献１】実開平６−３７４３２号公報
【特許文献２】特開２００２−４５２８９号公報
【特許文献３】特開平６−３２９９５３号公報
【特許文献４】特開２００４−７６４０２号公報
【非特許文献１】「加工技術」（繊維社  Vol.34,No.6(1999)  １５〜１７頁）
【発明の開示】
【発明が解決しようとする課題】
【００１３】
本発明は、上記にかんがみ、持続的な防臭・抗菌作用を維持可能な新規な構成の内装材を提供することを目的（課題）とする。
【課題を解決するための手段】
【００１４】
上記問題を解決するため本発明者は、前記非特許文献１に記載の芳香加工用マイクロカプセル（感圧型の含香マイクロカプセル）に着目して鋭意開発に努力をした結果、下記構成の内装材に想到した。
【００１５】
表面側が装飾層とされた内装材であって、装飾層に芳香成分が内包された無数の感圧型及び／又は徐放型の含香マイクロカプセルが付着していることを特徴とする。
【００１６】
上記内装材に表面側装飾層に付着している無数の含香マイクロカプセルは、芳香成分が内包されている感圧型又は徐放型であるため、前者の場合は、断続的に（時々）加圧されて徐々に、後者の場合は、経時的に徐々に、芳香成分が放散される。したがって、芳香成分（通常抗菌作用も有する。）により内装材に持続的な防臭・抗菌作用を付与できる。
【００１７】
ここで、マイクロカプセルが感圧型の場合、装飾層の表面が、マイクロカプセルが侵入して付着される微小隙間・微小孔を有し、該微小隙間・微小孔は断続的に縮んで、前記マイクロカプセルに破壊するものであるものとすることが望ましい。この構成により、マイクロカプセルから断続的に芳香が放散される。その結果、内装材に対して持続的な抗菌・防臭作用を付与がより効果的にできる。
【００１８】
上記構成は、通常、剛性装飾層が、湿度及び／又は温度により伸縮する剛性材質で形成することにより容易に達成することができる。
【００１９】
そして、剛性装飾層は、木質ストリップ又は竹質ストリップを並列結合又は編み結合させたものであることが望ましい。
【００２０】
マイクロカプセルが侵入しやすい微小隙間を容易に形成できるとともに、木質・竹質のもつ芳香作用も相乗して、より室内を、快適空間とすることが可能となる。
【００２１】
木質ストリップは、籐ストリップが並列結合させたものを好適に使用できる。籐は、他の木質・竹質素材に比して、光沢、感触、耐久性に優れているためである。
【００２２】
本発明の内装材の使用方法は、足や手又は体の一部が当接して断続的に加圧を受ける床材、腰板等（以下「断続加圧受け壁」という。）として使用することが望ましい。浴場等における入場者の数に加圧回数が略比例するため、破壊による芳香成分の放散量も略比例する。入場者が歩いたり腰板をたたいたりすることにより、マイクロカプセルが破壊されるためである。
【００２３】
そして、本発明の内装材における製造方法の一態様は、芳香成分が内包された感圧型マイクロカプセルの水性分散液を装飾層に塗布乾燥させて無数のマイクロカプセルを装飾層に付着させる構成となる。任意に水に希釈して、マイクロカプセルの装飾層への付着量も調節容易である。
【００２４】
また、本発明は、既設の断続加圧受け壁の表面（装飾層）に芳香成分が内包された感圧型マイクロカプセルの水性分散液を前記装飾層に塗布乾燥させて無数のマイクロカプセルを装飾層に付着させる構成も含むものである。
【発明を実施するための最良の形態】
【００２５】
以下本発明の望ましい実施形態について詳細に説明する。ここでは、図１〜２に示すような装飾タイルに適用する場合を例に採り説明する。
【００２６】
本発明の内装材は、
本発明に係る装飾タイルの一例を図１、２に示す。図２は、図１の装飾タイルの２−２線断面図である、
ベース層１２とモール部１４はタイル枠体１６を構成し、クッション層１８と装飾層（籐表）２０がモール部１４で保持されている。
【００２７】
ここで、装飾層２０は、籐ストリップ２０ａが紐２０ｂまたは縁かがリ２０ｃ（図４参照）して、等で並列結合したものである。籐ストリップ２０ａの幅は、通常、３〜６ｍｍで見た目には相互に当接しているが、マイクロカプセル（１〜１０μｍ）が侵入可能な隙間（１０〜１００μｍ）を有する。
【００２８】
タイル枠体１６のベース層１２の材料としては、敷設面（床面、壁面等）との馴染み易さを考慮して、通常、エステル系、アミド系、ウレタン系、スチレン系、オレフィン系等のエラストマー部材を使用することが好ましい。合板、ハードボード、パーチクルボード等の剛性板を使用してもよい。
【００２９】
ここで、タイル枠体１６の大きさは、例えば、約５０ｃｍ四方（正方形）とする。敷設目的や場所に応じて、該装飾タイルの一辺の長さは任意であり、また、形状は正方形に限られず、矩形、その他の敷き詰め可能な、多角形でもよい。
【００３０】
ベース層２２の厚さは、該装飾タイルの大きさ、敷設面との馴染み易さにもよるが、５〜１０ｍｍが適当である。あまり薄いと枠体としての形状を保てず、また厚過ぎると重量が増すため取り扱いが困難になるからである。
【００３１】
さらにベース層２２は四辺にモール部１４を備え、このモール部１４がクッション層２４と籐表１２を保持している。各辺のモール部１４は切れ目１６によりそれぞれ独立して拡開可能とされ、手で容易にクッション層２４、籐表１２を着脱することができる。また四辺全てにモール部を有していなくても、クッション層２４、籐表１２を保持可能であれば、いずれか相対向する二辺のみに設けてもよい。ただし二辺のみに設けた場合は、籐スリップの両木口（コグチ）がモール部１４に覆われるように取り付ける必要がある。
【００３２】
モール部材としては弾性変形可能な合成樹脂製の板状部材、例えばポリエチレン、ポリプロピレン、ポリ塩化ビニル、ポリスチレン等の板状部材でモール部１４を形成することができる。しかし、これらの材料に限らず弾性的にモール部１４が拡開できる材料であれば、前記エラストマー部材、さらには形状記憶合金等でもモール部１４を形成することができる。
【００３３】
ベース層１２と装飾層（籐表）２０との間に設けるクッション層１８の材料としては、不織布、編織物、ゴムシート、スポンジシート等を使用することができる。不織布としては、ポリエステル繊維、ナイロン繊維、ポリプロピレン繊維、アクリル繊維等の合成繊維からなる不織布を使用でき、さらにはタフテッドカーペット、織カーペット、編カーペット等のカーペットを使用することも可能である。本実施例では合成繊維からなる不織布を使用した。該クッション層１８は敷設目的に応じて不要な場合もあるが、設ける場合その厚さは任意とする。
【００３４】
装飾層２０には、本実施例のような籐表の他に、竹質ストリップを含む木質ストリップ等、または合成樹脂製ストリップ等を並列結合または編結合した装飾部材を使用できる。これらの場合も、籐表と同様、後述の如く、微小隙間にマイクロカプセルが侵入する。なお、編み結合（平織状、朱子織状）とした場合は、さらに、微小隙間が多く形成され、マイクロカプセルの隙間への侵入付着量の増大が期待できる。
【００３５】
上記構成の籐表装飾タイルにおいて、装飾層（籐表）２０に、芳香成分が内包された無数の感圧型及び／又は徐放型の含香マイクロカプセル（以下、単に「マイクロカプセル」という。）が付着している。
【００３６】
ここで、感圧型とは、物理的な圧力によりマイクロカプセルが破壊され、内容物の芳香成分が放散されるタイプのマイクロカプセルを言う（非特許文献１７頁右欄参照）。また、徐放型とは、中空多孔質マイクロカプセルに芳香成分が内包されていて、外部へ徐々に芳香成分が放散されるタイプのマイクロカプセルをいう。
【００３７】
感圧型マイクロカプセルとしては、三木理研工業社から商品名「リケンレジン」シリーズとして上市されている水分散系のものを好適に使用可能である。
【００３８】
特に、下記の商品名の水分散系のものを好適に使用可能である。「」の後の表記は、芳香成分概略及びカプセル化材である（非特許文献１５頁表１から引用）。これらは、単独使用でなく２種以上を併用してもよい。
【００３９】
「リケンＮＦＨＯレジン」ヒノキオイル、ウレタン
「リケンレジンＲＨ−Ｂ」ヒバオイル、ウレタン
「リケンレジンＴＯ−２」トウガラシオイル、ウレタン
「リケンＬＦＨＯレジン」ヒノキオイル、メラミン
「リケンレジンＲＨＢ−６」ヒバオイル、メラミン
「リケンレジンＭＲＢ−１５」ラベンダー香料、メラミン
「リケンレジンＪＳ」ジャスミン香料、メラミン
「リケンレジンＪＯ」生姜香料、メラミン
「リケンレジンＡＯ−５０」アロエオイル、メラミン
また、徐放型マイクロカプセルとしては、和信社から「香りカプセル」として「ティオクリーン」の商品名で上市されているものを使用可能である（粒子径２〜５μｍ）。
【００４０】
そして、例えば、マイクロカプセルの装飾層２０への付着は、通常、装飾層２０に上記感圧型マイクロカプセルの水性分散液を塗布乾燥させて行う。すると、マイクロカプセル２６は、主とし籐表ばかりでなく、籐ストリップ２０ａの隙間に侵入して保持される（図３参照）。なお、図３はモデル的にマイクロカプセルを拡大して表してある。
【００４１】
このとき塗布方法は、スプレー塗布、刷毛塗り、浸漬塗布いずれでもよく、付着させるのは装飾層２０の表側ばかりでなく隙間も付着させ、さらには、適宜、裏面に付着させてもよい。浸漬塗布の場合は、両面への付着さらには隙間への侵入付着が同時的に可能である。
【００４２】
なお、マイクロカプセルの付着方法は、これに限られることなく、マイクロカプセル粉体を振りかけて、払い落とす方式でもよい。即ち、本実施形態の籐表（装飾層）２０は、隙間Ｓを有するため、マイクロカプセルは、装飾層２０に完全に付着（接着）しなくても、隙間に侵入付着（保持）される。
【００４３】
上記マイクロカプセルの付着量は、マイクロカプセルの種類、使用場所、被塗布物により異なるが、上記「リケンレジン」シリーズの場合、１〜５ｇ／ｍ2の範囲で適宜設定する。
【００４４】
上記構成の籐表装飾タイルは、大衆浴場の湯上り床等に敷いて使用する。
【００４５】
そして、籐ストリップの間に侵入したマイクロカプセル２６は、籐ストリップ１２ａの吸湿によって隙間が縮んだ場合、籐ストリップ１２ａ、１２ａ相互間で圧縮されて、即ち、擦られて破壊され芳香成分が放散する。また、入場者が入ってきて歩くと、その体重加圧により、表面に付着しているマイクロカプセル１６が破壊されるとともに、やはり、上記同様にして、籐ストリップ２０ａ、２０ａ相互間で、微小隙間に侵入したマイクロカプセル２６も破壊される。こうして、マイクロカプセルから芳香成分が断続的に放散されて、抗菌防臭作用を奏する。
【００４６】
なお、硬質の床面に、籐表（装飾層）のみからなるものを敷設し、該籐表の裏面にもマイクロカプセルを付着させた場合には下記のことが期待できる。
【００４７】
床面と籐表（装飾層）裏面との間でもマイクロカプセルは加圧されて破壊し、籐ストリップ間の微小隙間から芳香成分が放散（漏出）する。
【００４８】
なお、マイクロカプセルとして、通常、全部又は半分以上を圧力型とすることが上記の如く、断続放散が可能なので望ましい。全て、徐放型マイクロカプセルとしても抗菌防臭作用は継続的に奏するため、その維持作用は、本実施形態に比して、劣るものの一定期間維持可能である。
【００４９】
更に、本発明の適用製品は、上記図１〜２に示すものに限られるものではない。
【００５０】
籐製内装材の場合を例にとると、籐ストリップで並列結合又は編み結合した装飾層のみの籐マット２０Ａ（図４参照）でもよく、更には、現場施工（敷設）する籐敷き反物等にも当然適用可能である。
【００５１】
さらには、弾性変形可能な多孔質プラスチック製の内装材に上記同様マイクロカプセルを付着させても、上記と同様の作用効果を期待できる。
【００５２】
また、内装材の使用箇所も、床面に限られず、立壁面さらには天井等にも使用しても、本発明の持続的な防臭・抗菌作用を奏することを期待できる。
【図面の簡単な説明】
【００５３】
【図１】本発明を適用する内装材の一例における装飾タイルを示す正面図である。
【図２】図１における２−２線断面図である。
【図３】図２の３部のモデル拡大図である。
【図４】本発明を適用する内装材の他の一例における籐マットを示す斜視図である。
【符号の説明】
【００５４】
１２  ベース層
１８  クッション層
２０  籐表（装飾層）
２０ａ    籐ストリップ
２６    （含香）マイクロカプセル
２８    微小隙間
【図１】
2005319100.tif 000003
【図２】
2005319100.tif 000004
【図３】
2005319100.tif 000005
【図４】
2005319100.tif 000006